【手続補正書】
【提出日】令和2年6月1日(2020.6.1)
【手続補正１】
【補正対象書類名】特許請求の範囲
【補正対象項目名】全文
【補正方法】変更
【補正の内容】
【特許請求の範囲】
【請求項１】
第１の時間の間、地上セルラー通信システムの全システム容量の第１の部分を使用して、セルラーユーザによるリアルタイム消費のための第１のデータを前記セルラーユーザに通信することと、前記全システム容量は、前記第１の部分と前記第１の部分とは別個の残容量とを含み、前記リアルタイム消費は、ユーザが前記第１のデータを消費するように要求した時と同時に生じ、
前記第１の時間の間、前記全システム容量の前記残容量を使用して、前記地上セルラー通信システムを介して、中間データストレージデバイスを備える第１のデバイスに、第２のデータを通信することと、前記第２のデータは、ユーザアプリケーションによる非リアルタイム消費のためのものであり、
第２のデータを通信した後、前記第１のデバイスの前記中間データストレージデバイスに、前記第２のデータを記憶することと、
前記第２のデータを記憶した後、前記第１の時間のリアルタイム消費とは異なる第２の時間に、前記ユーザアプリケーションによって、前記中間データストレージデバイスから第２のデータを要求することと、
前記第２のデータを記憶した後、前記第１のデバイスの前記中間データストレージデバイスから前記ユーザアプリケーションに前記第２のデータを通信することと、
リアルタイムで、前記中間ストレージデバイスから前記第２のデータを受信し、前記ユーザアプリケーションにおいて前記第２のデータを消費することと、
によって前記ユーザアプリケーションによる前記第２のデータの非リアルタイム消費を行うことと、を含む、方法。
【請求項２】
前記中間データストレージデバイスに第２のデータを通信することが、前記地上セルラー通信システムおよび衛星システムを介して、前記中間データストレージデバイスに第２のデータを通信することを含む、請求項１に記載の方法。
【請求項３】
前記中間データストレージデバイスに第２のデータを通信することが、前記地上セルラー通信システムおよび非静止軌道衛星システムを介して、前記中間データストレージデバイスに第２のデータを通信することを含む、請求項１に記載の方法。
【請求項４】
前記中間データストレージデバイスに第２のデータを通信することが、前記地上セルラー通信システムおよび対地同期期間を有する非静止軌道衛星システムを介して、前記中間データストレージデバイスに第２のデータを通信することを含む、請求項１に記載の方法。
【請求項５】
追跡端末を使用して前記非静止軌道衛星システムを追跡することをさらに含む、請求項４に記載の方法。
【請求項６】
前記第１のデバイスに第２のデータを通信することが、第１のカルーセルおよび第２のカルーセルを使用して第２のデータを通信することを含み、前記第１のカルーセルが、前記第２のカルーセルの第２の繰返し率よりも低い、第１の繰返し率を有する、請求項１に記載の方法。
【請求項７】
前記第１のデバイスに第２のデータを通信することが、前記第１のカルーセルおよび前記第２のカルーセルから、異なる複数の経路を介して、前記第１のデバイスに第２のデータを通信することを含む、請求項６に記載の方法。
【請求項８】
前記異なる複数の経路が、衛星の第１のトランスポンダおよび第２のトランスポンダを含む、請求項７に記載の方法。
【請求項９】
前記第１のデバイスに第２のデータを通信することが、前記地上セルラー通信システムの双方向ユニキャスト、プッシュユニキャスト、または同報通信モードを介して第２のデータを通信することを含む、請求項１に記載の方法。
【請求項１０】
前記第１のデバイスに第２のデータを通信することが、前記地上セルラー通信システムのロング・ターム・エボリューション同報通信モードを介して第２のデータを通信することを含む、請求項１に記載の方法。
【請求項１１】
前記第１のデバイスに第２のデータを通信することが、前記地上セルラー通信システムおよびデジタルテレビシステムを介して第２のデータを通信することを含む、請求項１に記載の方法。
【請求項１２】
前記地上セルラー通信システムを介して第２のデータを通信することが、前記第２のデータの重要性、前記第２のデータを消費するユーザの数、利用可能な容量、および前記地上セルラー通信システムの性能特徴に従って、配信の順序を優先付けることにより優先された形で、前記地上セルラー通信システムから第２のデータを通信することを含む、請求項１に記載の方法。
【請求項１３】
前記地上セルラー通信システムを介して第２のデータを通信することが、ビデオコンテンツ、ソフトウェアアップデート、およびスポーツ再生コンテンツのうちの少なくとも１つを通信することを含む、請求項１に記載の方法。
【請求項１４】
前記地上通信システムを介して第２のデータを通信することが、同報通信によって通信することを含む、請求項１に記載の方法。
【請求項１５】
前記第２のデータを前記中間データストレージデバイスに記憶することが、コンテンツをソリッドステートデバイスに記憶することを含む、請求項１に記載の方法。
【請求項１６】
前記第２のデータを前記中間データストレージデバイスに記憶することが、第２のデータをハードディスクドライブに記憶することを含む、請求項１に記載の方法。
【請求項１７】
前記ユーザアプリケーションが前記第１のデバイス内に配置される、請求項１に記載の方法。
【請求項１８】
残容量を使用して第２のデータを通信することが、未使用または使用率の低いリソースを使用してデータを通信することを含む、請求項１に記載の方法。
【請求項１９】
未使用のリソースまたは使用率の低いリソースを使用して第２のデータを通信することが、前記中間データストレージデバイスに対する非リアルタイムの第２のデータの通信よりも、ユーザデバイスに対するリアルタイムの第１のデータを優先することを含む、請求項１８に記載の方法。
【請求項２０】
前記第１のデバイスまたは前記中間データストレージデバイスが基地局に配置され、前記第１のデバイスの前記中間データストレージデバイスから前記ユーザアプリケーションに第２のデータを通信することが、前記基地局から発信される無線ネットワークを介してデータを通信することを含む、請求項１に記載の方法。
【請求項２１】
前記中間データストレージデバイスから前記ユーザアプリケーションに第２のデータを通信することが、ローカルエリアネットワークまたは直接有線接続を介してデータを通信することを含む、請求項１に記載の方法。
【請求項２２】
前記中間データストレージデバイスおよび第２のデバイスの第２の中間データストレージデバイスから第２のデータをさらに通信することである、請求項１に記載の方法。
【請求項２３】
前記ユーザアプリケーションからの要求データを要求した後、前記要求されたデータが前記第１のデバイスの前記中間データストレージデバイスに記憶されているかどうかを判定することと、前記要求されたデータが前記中間データストレージデバイスに記憶されている場合、そこから前記要求されたデータを通信し、前記要求されたデータが前記中間データストレージデバイスに記憶されていない場合、前記地上セルラー通信システムを介してデータを要求することと、をさらに含む、請求項１記載の方法。
【請求項２４】
前記中間データストレージデバイスに記憶されたデータのコンテンツタイトルを含むチャネルガイドを生成することと、ユーザデバイスの前記ユーザアプリケーションに関連付けられたディスプレイに、前記チャネルガイドと仮想チャネルに関連付けられた前記コンテンツタイトルとを表示することと、をさらに含む、請求項１に記載の方法。
【請求項２５】
中間データストレージデバイスを備える第１のデバイスと、
前記中間データストレージデバイスと通信するユーザアプリケーションと、
第１の時間の間、全システム容量の第１の部分を使用して、セルラーユーザによるリアルタイム消費のための第１のデータを前記セルラーユーザにリアルタイムで通信する地上セルラー通信システムと、前記全システム容量は、前記第１の部分と前記第１の部分とは別個の残容量とを含み、前記リアルタイム消費は、ユーザが前記第１のデータを消費するように要求した時と同時に生じ、前記地上セルラー通信システムは、前記第１の時間の間、前記全システム容量の残容量を使用して、前記第１のデバイスに第２のデータを通信し、前記第２のデータは、前記ユーザアプリケーションによる非リアルタイム消費のためのものであり、
前記地上セルラー通信システムプロバイドが前記第２のデータを通信した後、前記中間データストレージデバイスが、前記第１のデバイスの前記中間データストレージデバイスに前記第２のデータを記憶することと、
前記第２のデータが前記中間デバイスに記憶された後、および前記第１の時間のリアルタイム消費とは異なる第２の時間に、前記ユーザアプリケーションが前記中間データストレージデバイスから第２のデータを要求することと、
前記中間データストレージデバイスが記憶している第２のデータを前記ユーザアプリケーションに通信することと、
前記ユーザアプリケーションが、リアルタイムで、前記中間デバイスから前記第２のデータを受信し、前記第２のデータを消費することと、
によって、前記第２のデータの非リアルタイム消費を行う前記ユーザアプリケーションと、を備える、システム。
【請求項２６】
地上セルラー通信システムプロバイダが、前記地上セルラー通信システムおよび衛星システムを介して、前記中間データストレージデバイスに第２のデータを通信する、請求項２５に記載のシステム。
【請求項２７】
前記衛星システムが、非静止軌道衛星システムを含む、請求項２６に記載のシステム。
【請求項２８】
前記衛星システムが、対地同期期間を有する非静止軌道衛星システムを含む、請求項２６に記載のシステム。
【請求項２９】
前記中間データストレージデバイスが、衛星追跡端末に連結されている、請求項２６に記載のシステム。
【請求項３０】
前記地上セルラー通信システムが、第１のカルーセルおよび第２のカルーセルをさらに備え、前記第１のカルーセルが、前記第２のカルーセルの第２の繰返し率よりも低い、第１の繰返し率を有する、請求項２５に記載のシステム。
【請求項３１】
前記第２のデータが、前記第１のカルーセルおよび前記第２のカルーセルから、異なる複数の経路を介して通信される、請求項３０に記載のシステム。
【請求項３２】
前記異なる複数の経路が、衛星の第１のトランスポンダおよび第２のトランスポンダを含む、請求項３１に記載のシステム。
【請求項３３】
地上セルラー通信システムプロバイダが、前記地上セルラー通信システムの双方向ユニキャスト、プッシュユニキャスト、または同報通信モードを介して、中間データストレージデバイスに第２のデータを通信する、請求項２５に記載のシステム。
【請求項３４】
地上セルラー通信システムプロバイダが、前記地上セルラー通信システムのロング・ターム・エボリューション同報通信モードを介して、中間データストレージデバイスにデータを通信する、請求項２５に記載のシステム。
【請求項３５】
地上セルラー通信システムプロバイダが、前記地上セルラー通信システムおよびデジタルテレビシステムを介して、中間データストレージデバイスに第２のデータを通信する、請求項２５に記載のシステム。
【請求項３６】
前記地上セルラー通信システムが、前記第２のデータの重要性、前記第２のデータを消費するユーザの数、利用可能な容量、および前記地上セルラー通信システムの性能特徴に従って配信の順序を優先付けることにより優先された形で第２のデータを通信する、請求項２５に記載のシステム。
【請求項３７】
前記第２のデータが、ビデオコンテンツ、ソフトウェアアップデート、およびスポーツ再生コンテンツのうちの少なくとも１つを含む、請求項２５に記載のシステム。
【請求項３８】
前記地上セルラー通信システムが、同報通信によってデータを通信する、請求項２５に記載のシステム。
【請求項３９】
前記中間データストレージデバイスが、ソリッドステートデバイスまたはハードディスクドライブを備える、請求項２５に記載のシステム。
【請求項４０】
前記ユーザアプリケーションが前記第１のデバイス内に配置される、請求項２５に記載のシステム。
【請求項４１】
前記残容量が未使用リソースを含む、請求項２５に記載のシステム。
【請求項４２】
前記残容量が使用率の低いリソースを含む、請求項２５に記載のシステム。
【請求項４３】
前記中間データストレージデバイスが基地局に配置され、前記基地局が無線ネットワークを形成し、前記中間データストレージデバイスが、前記基地局から発信される前記無線ネットワークを介して、前記ユーザアプリケーションに前記第２のデータを通信する、請求項２５に記載のシステム。
【請求項４４】
前記中間データストレージデバイスが、前記中間データストレージデバイスからローカルエリアネットワークまたは直接有線接続を介して前記第２のデータを通信する、請求項２５に記載のシステム。
【請求項４５】
前記中間データストレージデバイスが、前記中間データストレージデバイスから直接接続を介してユーザデバイスに前記第２のデータを通信する、請求項２５に記載のシステム。
【請求項４６】
前記要求されたデータが前記中間データストレージデバイスに記憶されていない場合に、前記地上セルラー通信システムを介して要求されたデータを要求するように、前記中間データストレージデバイスが前記ユーザアプリケーションをリダイレクトする、請求項２５に記載のシステム。
【請求項４７】
前記中間データストレージデバイスが、チャネルプロバイダに関連付けられた、前記中間データストレージデバイスに記憶された前記第２のデータのコンテンツタイトルを有するチャネルガイドを生成し、前記チャネルガイドを前記ユーザアプリケーションに通信し、仮想チャネルに関連付けられた前記コンテンツタイトルが表示される、請求項２５に記載のシステム。
【請求項４８】
前記中間データストレージデバイスからデータを通信することが、
前記地上セルラー通信システムを使用して、ローカルエリアネットワークのルーターに第１の速度でリアルタイムで第２のデータを通信することと、
前記ルーターから前記ローカルエリアネットワークを介してユーザデバイスの前記ユーザアプリケーションに前記第２のデータを通信することと、を含む、請求項１に記載の方法。
【請求項４９】
非セルラーコンテンツプロバイダにより操作される前記地上セルラー通信システムに第２のデータを通信することをさらに含み、前記地上セルラー通信システムは、前記非セルラーコンテンツプロバイダとは異なる第２のコンテンツプロバイダにより操作される、請求項４８に記載の方法。